(57)【要約】【課題】ジャム処理を簡単に行うことのできるシート給送装置及びこれを備えた画像読取装置並びに画像形成装置を提供する。【解決手段】シート収納部に収納されたシートをシート給送手段により送り出した後、分離ローラ５及び分離ローラ５に圧接する分離パット１５を備えた分離部３０により、シートを１枚ずつ分離して給送する。そして、分離部３０にシートのジャムが生じた場合には、装置本体に開閉可能に設けられたカバー部材を開放し、このカバー部材の開放に連動して連動手段３４，３５により解除手段３６を作動させ、分離パット１５の分離ローラ５への圧接を解除する。【選択図】　　　図１
2004136999.tif 000002
【特許請求の範囲】
【請求項１】
シート収納部に収納されたシートをシート給送手段により送り出した後、分離ローラ及び前記分離ローラに圧接する分離パットを備えた分離部により１枚ずつ分離して給送するシート給送装置において、
装置本体に開閉可能に設けられたカバー部材と、
前記分離パットの前記分離ローラへの圧接を解除する解除手段と、
前記カバー部材の開放に連動して前記解除手段を作動させる連動手段と、
を備えたことを特徴とするシート給送装置。
【請求項２】
前記連動手段は、前記カバー部材の開放に伴って移動するレバー部材と、前記レバー部材の移動に伴って前記解除手段を前記分離パットを前記分離ローラへ圧接させる位置から、前記分離パットを前記分離ローラから離間させる位置に移動させる圧接解除部材と、を備えたことを特徴とする請求項１記載のシート給送装置。
【請求項３】
前記カバー部材は、前記シートをガイドする上ガイドを構成するものであり、前記上ガイドと共にシートをガイドする下ガイドを構成する下部フレームに前記分離ローラ及び分離パットを配したことを特徴とする請求項１に記載のシート給送装置。
【請求項４】
前記レバー部材は、前記カバー部材と前記下部フレームに組み込まれ、前記カバー部材の前記下部フレームに対する開放角度を規制する規制部材であることを特徴とする請求項２又は３記載のシート給送装置。
【請求項５】
シートの画像を読取る画像読取部と、前記画像読取部にシートを給送する請求項１乃至４のいずれか１項に記載のシート給送装置とを備えたことを特徴とする画像読取装置。
【請求項６】
シートに画像を形成する画像形成部と、前記画像形成部にシートを給送する請求項１乃至４のいずれか１項に記載のシート給送装置とを備えたことを特徴とする画像形成装置。
【発明の詳細な説明】
【０００１】
【発明の属する技術分野】
本発明は、シート給送装置及びこれを備えた画像読取装置並びに画像形成装置に関し、特にシート給送手段により送り出されたシートを、分離ローラ及び分離パットを備えた分離部により分離するものに関する。
【０００２】
【従来の技術】
従来の複写機、ファクシミリ等の画像形成装置、或はスキャナ等の画像読取装置においては、シート収納部に収納されたシートをシート給送手段であるピックアップローラにより最上位のものから１枚ずつ順次送り出した後、分離部により一枚ずつ分離して画像形成部又は画像読取部に給送するシート給送装置を備えている。
【０００３】
ここで、例えば画像読取装置に設けられ、シートである原稿を給送するシート給送装置の一例である原稿給送装置においては、ピックアップローラにより送り出されたシートを、分離ローラ及び分離ローラに圧接する分離パットを備えたデュプロ方式の分離部により１枚ずつ分離して給送するようにしたものがある。
【０００４】
ところで、このようなデュプロ方式を採用したシート給送装置において、分離ローラと分離パッドが同一フレームに支持されている場合、原稿がジャムした際には、分離パットを分離ローラから離間する解除部材を操作することにより、分離パットを分離ローラから離間させてジャム処理を行うようにしている。
【０００５】
図８は、このような分離パット解除機構を示す斜視図であり、同図において、４２は分離ローラ、４０は分離パット、４１は分離パット４０を支持している分離パットホルダ、４９は解除部材である分離パット解除レバーである。ここで、この分離パット解除レバー４９の一端部は、分離パットホルダ４１に組み込まれている。
【０００６】
そして、原稿のジャムが発生した場合、分離パット解除レバー４９の他端部に取り付けられた操作レバー４９ａを図中矢印の方向に回転させると、分離パット解除レバー４９の一端部に設けられた押し下げ部４９ｂが下方回動し、これにより分離パットホルダ４１が軸４１ａを支点として押し下げられ、分離パット４０が分離ローラ４２から離間するようになっている。
【０００７】
【発明が解決しようとする課題】
ところで、このような分離パット解除機構を備えた従来のシート給送装置において、分離パットの圧接を解除するためには、まずシート給送装置本体の上面を構成する上面カバーを開いて分離パット解除レバー４９へのアクセスを可能とした後、分離パット解除レバー４９を操作しなければならない。
【０００８】
しかしながら、このように原稿のジャムが生じた場合、ユーザが上面カバーを開放し、さらに分離パット解除レバー４９を操作することはユーザにとっては煩わしく、操作性に問題があった。
【０００９】
そこで本発明は、このような現状に鑑みてなされたものであり、ジャム処理を簡単に行うことのできるシート給送装置及びこれを備えた画像読取装置並びに画像形成装置を提供することを目的とするものである。
【００１０】
【課題を解決するための手段】
本発明は、シート収納部に収納されたシートをシート給送手段により送り出した後、分離ローラ及び前記分離ローラに圧接する分離パットを備えた分離部により１枚ずつ分離して給送するシート給送装置において、装置本体に開閉可能に設けられたカバー部材と、前記分離パットの前記分離ローラへの圧接を解除する解除手段と、前記カバー部材の開放に連動して前記解除手段を作動させる連動手段と、を備えたことを特徴とするものである。
【００１１】
また本発明は、前記連動手段は、前記カバー部材の開放に伴って移動するレバー部材と、前記レバー部材の移動に伴って前記解除手段を前記分離パットを前記分離ローラへ圧接させる位置から、前記分離パットを前記分離ローラから離間させる位置に移動させる圧接解除部材と、を備えたことを特徴とするものである。
【００１２】
また本発明は、前記カバー部材は、前記シートをガイドする上ガイドを構成するものであり、前記上ガイドと共にシートをガイドする下ガイドを構成する下部フレームに前記分離ローラ及び分離パットを配したことを特徴とするものである。
【００１３】
また本発明は、前記レバー部材は、前記カバー部材と前記下部フレームに組み込まれ、前記カバー部材の前記下部フレームに対する開放角度を規制する規制部材であることを特徴とするものである。
【００１４】
また本発明は、画像読取装置において、シートの画像を読取る画像読取部と、前記画像読取部にシートを給送する上記のいずれかに記載のシート給送装置とを備えたことを特徴とするものである。
【００１５】
また本発明は、画像形成装置において、シートに画像を形成する画像形成部と、前記画像形成部にシートを給送する上記のいずれかに記載のシート給送装置とを備えたことを特徴とするものである。
【００１６】
【発明の実施の形態】
以下、本発明の実施の形態について図面を用いて詳細に説明する。
【００１７】
図２は、本発明の実施の形態に係るシート給送装置の一例である原稿給送装置を備えた画像読取装置の斜視図であり、同図において、５０は画像読取装置、１は画像読取装置５０の上部に取り付けられた原稿給送装置である。２は原稿載置台、３は原稿排出台、４は原稿載置台２に設けられ、原稿の搬送方向と直交する幅方向に移動して原稿載置台４に載置された原稿の両側端を揃えるスライダである。
【００１８】
また、１Ａは原稿給送装置１の装置本体部であり、この装置本体部１Ａの内部には、図３に示すように略Ｕ字状の原稿搬送路（以下、Ｕターンパスという）１４が設けられている。なお、このＵターンパス１４の上流端側に接続するように原稿載置台２と共にシート載置部を構成する下ガイドフレーム２１が設けられ、Ｕターンパス１４の下流端側に接続するように原稿排出台３が設けられている。
【００１９】
また、このＵターンパス１４の上流部には、原稿載置台２に積載された原稿Ｓの最上位の原稿Ｓ１に当接してこれを送り出すシート給送手段であるピックアップローラ１０と、ピックアップローラ１０により送り出された原稿Ｓ１を１枚ずつに分離する分離部を構成する分離パット１５及びこの分離パット１５に圧接する分離ローラ５と、原稿載置台２に積載された原稿Ｓの先端位置を規制する原稿ストッパ９と、原稿載置台上の原稿Ｓの有無を検知する原稿有無センサ６とが設けられている。
【００２０】
さらに、このＵターンパス１４の下流端側には、原稿Ｓを原稿排出台３に排出するための排紙ローラ１１と、原稿Ｓの先端部及び後端部を検出する原稿エッジセンサ８が設けられている。
【００２１】
なお、同図において、７は搬送コロ１７〜２０と共に原稿Ｓを挟持しながら搬送する搬送ローラ、１６は分離ローラ５の軸５ａと同軸上に回動自在に設けられたピックアップアームであり、このピックアップアーム１６の回動端にピックアップローラ１０が回転自在に保持されている。
【００２２】
そして、この保持手段であるピックアップアーム１６により、下ガイドフレーム２１の上方に配されたピックアップローラ１０は、原稿Ｓに接離可能に保持されると共に、原稿を送り出す際は、このピックアップアーム１６の下方回動に伴って原稿Ｓに回転しながら当接するようになっている。
【００２３】
ここで、この原稿給送装置１は、操作者が原稿Ｓを原稿載置台２に載置してセットするとき、原稿Ｓは原稿給送装置１の左右方向における右側から左側に向かって、かつ画像面を上側にしてセットされるようになっており、この原稿セットの際には、原稿Ｓの先端位置が原稿ストッパ９によって規制され、また原稿有無センサ６により原稿有りが検知されるようになっている。なお、この原稿ストッパ９は、後述するようにピックアップアーム１６が下方回動すると、ピックアップアーム１６により押し下げられるようになっている。
【００２４】
１Ｂはピックアップローラ１０及び搬送ローラ７により搬送された原稿Ｓを読み取るための画像読取部であり、この画像読取部１Ｂは読み取りガラス１２と、読み取りガラス１２の下方に設けられた密着型イメージセンサ１３とを備えている。
【００２５】
ここで、この密着型イメージセンサ１３は、光源としての不図示のＬＥＤアレイから原稿Ｓの画像情報面に光を照射し、画像情報面で反射した反射光をセルフォックレンズ（商標）でセンサ素子に結像して画像情報を読み取るものである。
【００２６】
そして、このような原稿給送装置１において、操作者が不図示の操作部から読取開始を指示すると、まず不図示のモータが回転してピックアップアーム１６が下方回動し、これにより原稿ストッパ９が押し下げられる。この後、ピックアップローラ１０が原稿載置台２に積載された原稿Ｓの最上位の原稿Ｓ１に当接し、この最上位の原稿Ｓ１を送り出す。
【００２７】
次に、この最上位の原稿Ｓ１は押し下げられた原稿ストッパ９の上端面を通り、分離ローラ５及び分離パット１５によって構成される分離部３０にて他の原稿から分離され、Ｕターンパス１４の内部へと送り込まれる。さらに、このようにＵターンパス１４の内部へと送り込まれた原稿Ｓ１は、搬送ローラ７と対向するコロ１７〜１９によって、密着型イメージセンサ１３により画像情報が読み取られる読取位置に向かって搬送される。
【００２８】
次に、原稿エッジセンサ８により原稿Ｓ１の先端部が検知されると、その位置から所定量搬送されたところで、密着型イメージセンサ１３による画像情報の読取が開始される。また、この後、原稿エッジセンサ８により原稿Ｓ１の後端部が検知されると、その位置から所定量搬送されたところで、密着型イメージセンサ１３による画像情報の読取を終了する。
【００２９】
次に、原稿Ｓ１は、排紙ローラ１１によって原稿排紙台３に排出される。なお、このようにして画像読取装置５０は、原稿有無センサ６が原稿無しを検知するまで上述した読取動作を繰り返す。
【００３０】
ところで、図３において、２８は装置本体部１Ａの上面を形成すると共に原稿Ｓをガイドする上ガイドを構成するカバー部材である原稿上ガイドユニット、２９は原稿上ガイドユニット２８と共に原稿Ｓをガイドする下ガイドを構成する下部フレームである。そして、これら原稿上ガイドユニット２８及び下部フレーム２９には、図４に示すようにそれぞれボス部３７，３８が突設されている。
【００３１】
また図４において、３４は上下方向に伸びたガイド溝３４ａを備えたレバー部材であるストップレバーであり、このストップレバー３４は不図示の軸を支点として回動自在に下部フレーム２９に保持されると共に、原稿上ガイドユニット２８に設けられたボス部３８により上端部が係止され、ガイド溝３４ａには下部フレーム２９のボス部３８が挿入されるようになっている。
【００３２】
これにより、分離ローラ５と分離パット１５との間で原稿Ｓのジャムが生じ、ジャム処理のため図５に示すように原稿上ガイドユニット２８を開放すると、図６に示すように、ストップレバー３４は原稿上ガイドユニット２８と共にボス部３８に沿った形で、ガイド溝３４ａの下端がボス部３８に突き当たるまで上方回動する。
【００３３】
なお、このように原稿上ガイドユニット２８と共に上方回動した後、ストップレバー３４は不図示の保持手段により上昇位置に保持される。そして、このような位置に保持されることにより、ストップレバー３４は原稿上ガイドユニット２８の下部フレーム２９に対する開放角度を規制する規制部材として機能する。
【００３４】
一方、図４において、３５は下部フレーム２９に軸支され、ストップレバー３４と共に連動手段を構成する回転レバー、３６は下部フレーム２９に軸支された解除手段である分離パット解除レバーである。
【００３５】
ここで、ストップレバー３４には図７に示すように、ストップレバー３４が原稿上ガイドユニット２８と共に上方回動した際、回転レバー３５の係止部３５ａに係止して回転レバー３５を回転させる押し上げリブ４２が設けられている。また、回転レバー３５には、回転した際、分離パット解除レバー３６の回転端部を押し下げる押し下げ部３５ｃが設けられている。
【００３６】
これにより、ストップレバー３４が上方回動すると、回転レバー３５はストップレバー３４と一体的に軸３５ｂ（図４参照）を支点として回転するようになっており、このように回転レバー３５が回転すると、押し下げ部３５ｃが分離パット解除レバー３６の一端部に設けられた押し下げ部３６ａに上方より当接し、これにより分離パット解除レバー３６が下方に押し下げられるようになっている。なお、図７において、３３は分離パット１５を保持する分離パットホルダである。
【００３７】
ここで、分離パット解除レバー３６の他端部には、図１に示すように、分離パットホルダ３３の下面に設けられた押し下げリブ４３に当接する押し下げ部４４が設けられている。なお、分離パットホルダ３３は、通常、不図示の付勢手段により図１に示すような分離パット１５を分離ローラ５に圧接させる位置に保持されている。
【００３８】
そして、押し下げ部４４は、このような状態のとき、押し下げリブ４３に接するのみで分離パットホルダ３３に対し何等作用をしない位置関係で分離パット解除レバー３６の他端部に設けられている。
【００３９】
一方、既述したようにストップレバー３４と一体的に回転レバー３５が回転すると、分離パット解除レバー３６は回転レバー３５により押圧されて回転し、分離パット１５を分離ローラ５に圧接させる位置から分離パット１５を分離ローラ５から離間させる位置に移動するようになっている。
【００４０】
そして、このように分離パット解除レバー３６が回転すると、分離パット解除レバー３６の押し下げ部４４が分離パットホルダ３３の押し下げリブ４３を介して分離パットホルダ３３を軸３３ａを支点として下方回動させる。これにより、分離パットホルダ３３に支持されている分離パット１５が分離ローラ５から離間する。
【００４１】
このように、分離部３０において原稿Ｓがジャムした場合、原稿上ガイドユニット２８を開放すると、この原稿上ガイドユニット２８の開放に連動してストップレバー３４及び回転レバー３５により分離パット解除レバー３６が回動し、これにより分離パット１５の分離ローラ５への圧接を解除することができる。
【００４２】
そして、このように原稿上ガイドユニット２８を開放すると、分離パット１５の分離ローラ５への押圧を解除することができるようにすることにより、ユーザは原稿上ガイドユニット２８を開放するという１操作のみでジャム処理が可能となり、装置のジャム処理性が向上する。
【００４３】
なお、これまでは画像読取装置に本発明の原稿給送装置を用いたものについて述べてきたが、本発明はこれに限らず、画像形成部を備えた画像形成装置において画像形成部にシートを給送するシート給送装置として、本発明のシート給送装置を用いるようにしても良い。
【００４４】
さらに、画像読取部と、画像読取部に原稿を給送する原稿給送装置と、画像読取部により読み取られた原稿情報に基づいて画像を形成する画像形成部とを備えた画像形成装置において画像読取部にシートを給送するシート給送装置として、本発明のシート給送装置を用いるようにしても良い。
【００４５】
【発明の効果】
以上説明したように本発明のように、装置本体に開閉可能に設けられたカバー部材の開放に連動して連動手段により解除手段を作動させ、分離パットの分離ローラへの圧接を解除するようにすることにより、ユーザは原稿上ガイドユニットを開放するのみでジャム処理が可能なり、ジャム処理を簡単に行うことができる。
【図面の簡単な説明】
【図１】本発明の実施の形態に係るシート給送装置の一例である原稿給送装置に設けられた分離パット解除機構の、原稿上ガイドユニットを開放したときの状態を示す斜視図。
【図２】上記原稿給送装置を備えた画像読取装置の斜視図。
【図３】上記原稿給送装置の概略構成を示す図。
【図４】上記原稿給送装置に設けられた分離パット解除機構の構成を説明する図。
【図５】上記原稿給送装置に設けられた原稿上ガイドユニットを開放したときの状態を示す図。
【図６】上記原稿上ガイドユニットを開放したときの分離パット解除機構の状態を示す図。
【図７】上記原稿上ガイドユニットを開放したときの分離パット解除機構の状態を示す他の斜視図。
【図８】従来の分離パット解除機構を示す斜視図。
【符号の説明】
１　　　　　原稿給送装置
１Ａ　　　　装置本体部
２　　　　　原稿載置台
５　　　　　分離ローラ
１０　　　　ピックアップローラ
１３　　　　密着型イメージセンサ
１５　　　　分離パット
２１　　　　下ガイドフレーム
２８　　　　原稿上ガイドユニット
３０　　　　分離部
３６　　　　分離パット解除レバー
３３　　　　分離パットホルダ
３７，３８　ボス部
４２　　　　押し上げリブ
４３　　　　押し下げリブ
【図１】
2004136999.tif 000003
【図２】
2004136999.tif 000004
【図３】
2004136999.tif 000005
【図４】
2004136999.tif 000006
【図５】
2004136999.tif 000007
【図６】
2004136999.tif 000008
【図７】
2004136999.tif 000009
【図８】
2004136999.tif 000010